(57)【特許請求の範囲】
【請求項１】
映像を表示するためのファイルを格納するファイル記憶手段と、
映像を表示する表示手段と、
被写体を撮影して前記被写体の画像データを出力する撮像手段と、
前記画像データを解析して特徴量を算出することにより映像の視聴者を認証する第１の認証手段と、
前記第１の認証手段によって認証された視聴者を識別する視聴者識別データと、前記認証された視聴者の特徴量とを関連付けて格納する視聴者記憶手段と、
予め定められた時間ごとに前記ファイルを論理的に分割することにより、前記ファイルを構成する複数のサブファイルを識別する各サブファイル識別データを生成する識別データ生成手段と、
指示の入力を受け付ける入力手段と、
ファイルを再生する指示の入力に基づいて、予め定められた時間ごとに、前記撮像手段に撮影動作を実行させる撮影制御手段と、
各前記撮影動作によって出力される画像データを解析して得られる特徴量と、前記視聴者記憶手段に格納されている特徴量とに基づいて、前記再生されるファイルに基づく映像の視聴者を認証する第２の認証手段と、
前記指示により特定される再生ファイルに基づいて前記表示手段に映像を表示させる第１の表示制御手段と、
前記第２の認証手段によって認証された視聴者の視聴者識別データと、各前記サブファイル識別データとを関連付けることにより、各前記サブファイルの視聴履歴を生成する履歴生成手段と、
各前記視聴履歴を格納する履歴記憶手段と、
前記ファイル記憶手段に格納されているファイルの一覧を表示する指示の入力に応答して、各前記サブファイルに基づく前記視聴履歴を表示するための表示データを生成する表示データ生成手段と、
前記表示データに基づいて、前記表示手段に前記視聴履歴を表示させる第２の表示制御手段とを備える、映像記録再生装置。
【請求項２】
映像記録再生装置であって、
映像を表示するためのファイルを格納するファイル記憶手段と、
映像を表示する表示手段と、
前記映像の視聴者の画像データを取得する取得手段と、
前記画像データに基づいて、前記映像の視聴者の情報を管理する管理手段と、
前記ファイルを構成する複数のサブファイルを識別するサブファイル識別データを生成する識別データ生成手段と、
指示の入力を受け付ける入力手段と、
前記指示に応答して、前記ファイルに基づいて表示される映像の前記視聴者による視聴履歴として、各前記サブファイルごとの視聴履歴を生成する履歴生成手段と、
前記視聴履歴を格納する履歴記憶手段と、
各前記サブファイルに基づいて前記ファイルの視聴履歴を前記表示手段に表示させる制御手段とを備え、
前記管理手段は、
前記画像データを解析して特徴量を算出することにより映像の視聴者を認証する第１の認証手段と、
前記第１の認証手段によって認証された視聴者を識別する視聴者識別データと、前記認証された視聴者の画像データとを関連付けて格納する視聴者記憶手段とを含む、映像記録再生装置。
【請求項３】
前記取得手段は、被写体を撮影して前記被写体の画像データを出力する撮像手段を含む、請求項２に記載の映像記録再生装置。
【請求項４】
前記取得手段は、被写体の画像データの入力を受け付ける入力手段を含む、請求項２に記載の映像記録再生装置。
【請求項５】
前記識別データ生成手段は、前記ファイルを論理的に分割することにより、各前記サブファイル識別データを生成する、請求項２に記載の映像記録再生装置。
【請求項６】
前記識別データ生成手段は、予め定められた時間ごとに前記ファイルを分割することにより、各前記サブファイル識別データを生成する、請求項２に記載の映像記録再生装置。
【請求項７】
前記取得手段は、被写体を撮影して前記被写体の画像データを出力する撮像手段を含み、
前記履歴生成手段は、
ファイルを再生する指示の入力に基づいて、前記撮像手段に撮影動作を実行させる撮影制御手段と、
前記撮影動作によって出力される画像データに基づいて、前記再生されるファイルに基づく映像の視聴者を認証する第２の認証手段と、
前記指示により特定される再生ファイルに基づいて前記表示手段に映像を表示させる表示制御手段と、
前記第２の認証手段によって認証された視聴者の視聴者識別データと、各前記サブファイル識別データとに基づいて、各前記サブファイルの視聴履歴を生成する生成手段とを含む、請求項２に記載の映像記録再生装置。
【請求項８】
前記撮影制御手段は、予め定められた時間ごとに前記撮像手段に撮影動作を実行させ、
前記第２の認証手段は、各前記撮影動作によって出力される画像データを解析して得られる特徴量と、前記視聴者記憶手段に格納されている特徴量とに基づいて、前記映像の視聴者を認証する、請求項７に記載の映像記録再生装置。
【請求項９】
前記生成手段は、前記認証された視聴者についての前記視聴者識別データと、各前記サ
ブファイル識別データとを関連付けることにより、前記視聴履歴を生成する、請求項７に記載の映像記録再生装置。
【請求項１０】
前記入力手段は、前記映像記録再生装置の動作を制御するための制御信号を受信する受信手段を含み、
前記履歴生成手段は、前記制御信号に基づいて、前記映像の視聴履歴を各前記サブファイルごとに生成する、請求項２に記載の映像記録再生装置。
【請求項１１】
前記履歴生成手段は、
前記映像のシーンを数値化したシーンデータを算出し、
前記シーンデータのうち予め定められた基準を上回るシーンデータを重要シーンとして特定し、
前記重要シーンを含むサブファイルの視聴履歴を他のサブファイルの視聴履歴よりも重み付ける、請求項１〜１０のいずれかに記載の映像記録再生装置。
【発明の詳細な説明】
【技術分野】
【０００１】
本発明は映像記録再生装置に関し、より特定的には、再生の履歴を出力可能な映像記録再生装置に関する。
【背景技術】
【０００２】
ＶＴＲ（Video Tape Recorder）、ＨＤＤ（Hard Disk Drive）レコーダその他の映像記録再生装置を用いた映像の再生に関し、単なる再生以外の技術が、以下のように開示されている。
【０００３】
たとえば、特開２００２−３１４９１７号公報（特許文献１）は、記録コンテンツごとにかこの差異性状況を詳細に記録する情報再生装置を開示する。
【０００４】
特開２００５−０６３５１９号公報（特許文献２）は、複数の使用者が共有する記録媒体に記録された複数のコンテンツの管理を容易にし、各コンテンツの取り扱いを便利にするコンテンツ管理装置を開示する。
【０００５】
特開２００１−０１６５１４号公報（特許文献３）は、視聴者を認識し、視聴者に応じた動作を行うことができる認識機能付表示装置を開示する。
【０００６】
特開２０００−１３８８８６号公報（特許文献４）は、視聴したい番組の選択操作性が向上する番組録画再生装置を開示する。
【０００７】
さらに、特開２００２−０３３９８７号公報（特許文献５）は、重要部分の記録品質が向上し記録量が削減される記録装置を開示する。
【特許文献１】特開２００２−３１４９１７号公報
【特許文献２】特開２００５−０６３５１９号公報
【特許文献３】特開２００１−０１６５１４号公報
【特許文献４】特開２０００−１３８８８６号公報
【特許文献５】特開２００２−０３３９８７号公報
【発明の開示】
【発明が解決しようとする課題】
【０００８】
しかしながら、上記のように開示された技術によれば、再生の対象となる映像ファイルについて、視聴者ごとにどの程度の再生が行われたか容易に把握できない。そのため、同一の視聴者が同一の映像ファイルの再生を断続的に行なう場合、視聴済みの部分が再生される場合もあり、続けて再生されるべき部分の再生が容易に実現できないという問題があった。
【０００９】
本発明は、上述の問題点を解決するためになされたものであって、その目的は、視聴者ごとに映像を効率よく再生できる映像記録再生装置を提供することである。
【課題を解決するための手段】
【００１０】
上記の課題を解決するために、この発明のある局面に従う映像記録再生装置は、映像を表示するためのファイルを格納するファイル記憶手段と、映像を表示する表示手段と、被写体を撮影して被写体の画像データを出力する撮像手段と、画像データを解析して特徴量を算出することにより映像の視聴者を認証する第１の認証手段と、第１の認証手段によって認証された視聴者を識別する視聴者識別データと、認証された視聴者の画像データとを関連付けて格納する視聴者記憶手段と、予め定められた時間ごとにファイルを論理的に分割することにより、ファイルを構成する複数のサブファイルを識別する各サブファイル識別データを生成する識別データ生成手段と、指示の入力を受け付ける入力手段と、ファイルを再生する指示の入力に基づいて、予め定められた時間ごとに、撮像手段に撮影動作を実行させる撮影制御手段と、各撮影動作によって出力される画像データと、視聴者識別データとに基づいて、再生ファイルに基づく映像の視聴者を認証する第２の認証手段と、指示により特定される再生ファイルに基づいて表示手段に映像を表示させる第１の表示制御手段と、第２の認証手段によって認証された視聴者についての視聴者識別データと、各サブファイル識別データとを関連付けることにより、各サブファイルごとに映像の視聴履歴を生成する履歴生成手段と、視聴履歴を格納する履歴記憶手段と、ファイル記憶手段に格納されているファイルの一覧を表示する指示の入力に応答して、各サブファイルに基づく視聴履歴を表示するための表示データを生成する表示データ生成手段と、表示データに基づいて、表示手段に視聴履歴を表示させる第２の表示制御手段とを備える。
【００１１】
この発明の他の局面にしたがう映像記録再生装置は、映像を表示するためのファイルを格納するファイル記憶手段と、映像を表示する表示手段と、映像の視聴者の画像データを取得する取得手段と、画像データに基づいて、映像の視聴者の情報を管理する管理手段と、ファイルを構成する複数のサブファイルを識別するサブファイル識別データを生成する識別データ生成手段と、指示の入力を受け付ける入力手段と、指示に応答して、ファイルに基づいて表示される映像の視聴者による視聴履歴を各サブファイルごとに生成する履歴生成手段と、視聴履歴を格納する履歴記憶手段と、各サブファイルに基づいてファイルの視聴履歴を表示手段に表示させる制御手段とを備える。
【００１２】
好ましくは、取得手段は、被写体を撮影して被写体の画像データを出力する撮像手段を含む。
【００１３】
好ましくは、取得手段は、被写体の画像データの入力を受け付ける入力手段を含む。
好ましくは、管理手段は、画像データを解析して特徴量を算出することにより映像の視聴者を認証する第１の認証手段と、第１の認証手段によって認証された視聴者を識別する視聴者識別データと、認証された視聴者の画像データとを関連付けて格納する視聴者記憶手段とを含む。
【００１４】
好ましくは、識別データ生成手段は、ファイルを論理的に分割することにより、各サブファイル識別データを生成する。
【００１５】
好ましくは、識別データ生成手段は、予め定められた時間ごとにファイルを分割することにより、各サブファイル識別データを生成する。
【００１６】
好ましくは、取得手段は、被写体を撮影して被写体の画像データを出力する撮像手段を含む。履歴生成手段は、ファイルを再生する指示の入力に基づいて、撮像手段に撮影動作を実行させる撮影制御手段と、撮影動作によって出力される画像データに基づいて、再生ファイルに基づく映像の視聴者を認証する第２の認証手段と、指示により特定される再生ファイルに基づいて表示手段に映像を表示させる表示制御手段と、第２の認証手段によって認証された視聴者についての視聴者識別データと、各サブファイル識別データとに基づいて、再生ファイルに基づく映像の視聴履歴を生成する生成手段とを含む。
【００１７】
好ましくは、撮影制御手段は、予め定められた時間ごとに撮像手段に撮影動作を実行させる。第２の認証手段は、各撮影動作によって出力される画像データに基づいて、映像の視聴者を認証する。
【００１８】
好ましくは、生成手段は、認証された視聴者についての視聴者識別データと、各サブファイル識別データとを関連付けることにより、視聴履歴を生成する。
【００１９】
好ましくは、入力手段は、映像記録再生装置の動作を制御するための制御信号を受信する受信手段を含む。履歴生成手段は、制御信号に基づいて、映像の視聴履歴を各サブファイルごとに生成する。
【発明の効果】
【００２０】
本発明に係る映像記録再生装置によると、映像は視聴者ごとに再生されるため、当該視聴者は、未再生の部分を速やかに視聴することができる。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
図１および図２を参照して、本発明の実施の形態に係る映像記録再生装置１００の構成について説明する。図１は、映像記録再生装置１００によって実現される機能の構成を表わすブロック図である。映像記録再生装置１００は、たとえばハードディスクレコーダ、ＤＶＤ（Digital Versatile Disc）レコーダ／プレーヤとして実現される。
【００２３】
映像記録再生装置１００は、主たる構成要素として、映像取得部１０２と、操作部１０４と、視聴者画像取得部１０６と、演算処理部１１０と、映像ファイル記憶部１３０と、サブファイル識別データ記憶部１３２と、視聴者識別データ記憶部１３４と、視聴履歴記憶部１３６と、表示部１４０とを含む。演算処理部１１０は、書込制御部１１２と、サブファイル識別データ生成部１１４と、撮影制御部１１６と、解析部１１８と、再生制御部１２０と、視聴履歴生成部１２２と、一覧表示指示検出部１２４と、履歴表示データ生成部１２６とを含む。
【００２４】
映像取得部１０２は、映像および／または音声を出力するためのファイル（画像信号など）を取得する。映像取得部１０２は、たとえばある局面においては、映像音声信号の入力を受け付けるインターフェイス、または着脱可能な記録媒体および当該記録媒体からデータを読み出す駆動装置として実現される。また他の局面においては、映像取得部１０２は、テレビジョン放送信号を受信するアンテナおよびチャンネルを選局するチューナを含む信号受信装置として実現される。
【００２５】
操作部１０４は、映像記録再生装置１００に対する指示の入力を受け付ける。操作部１０４は、たとえば映像記録再生装置１００の筐体の前面に設けられたタッチパネルその他のボタンとして実現される。あるいは、操作部１０４は、映像記録再生装置１００の動作を制御するためのリモコン端末から発信される信号を受信する赤外線受光部としても実現される。
【００２６】
視聴者画像取得部１０６は、映像記録再生装置１００によって出力される映像の視聴者の画像を取得する。視聴者画像取得部１０６は、たとえばＣＣＤ（Charge Coupled Device）あるいはＣＭＯＳ（Complementary Metal-Oxide Semiconductor）その他の撮像素子を備えるカメラとして実現される。この場合、視聴者画像取得部１０６は、撮影制御部１１６からの指令に応じて撮影動作を実行することになる。
【００２７】
あるいは、視聴者画像取得部１０６は、前述のカメラによって撮影された画像データの入力を受け付けるインターフェイスとしても実現される。
【００２８】
映像ファイル記憶部１３０は、映像取得部１０２によって取得された映像を表示するためのファイル（音声を出力するためのファイルも含む）を格納する。映像ファイル記憶部１３０は、たとえばハードディスク装置として実現される。あるいは、映像記録再生装置１００がＤＶＤ（Digital Versatile Disc）レコーダその他の着脱可能な記録媒体を使用可能な装置である場合には、映像ファイル記憶部１３０は、当該着脱可能な記録媒体としても実現される。
【００２９】
サブファイル識別データ記憶部１３２は、映像フィル記憶部１３０に格納される各ファイルを論理的に分割することによって生成されるサブファイルの各々を識別するためのデータ（ＩＤ（Identification））を格納する。
【００３０】
視聴者識別データ記憶部１３４は、映像ファイル記憶部１３０に格納されているファイルのうち映像記録再生装置１００によって再生表示される映像の視聴者を識別するためのデータ（たとえば視聴者の名称あるいは番号など）を格納する。視聴履歴記憶部１３６は、演算処理部１１０によって生成されるファイルの視聴の履歴データを格納する。上述の映像ファイル記憶部１３０とサブファイル識別データ記憶部１３２と視聴者識別データ記憶部１３４と視聴履歴記憶部１３６とは、物理的に同一の記憶装置によって実現されてもよいし、別個の記憶装置によって実現されてもよい。
【００３１】
映像出力部１４０は、映像ファイル記憶部１３０に格納されているファイルのうち再生が指示されたファイルの信号を出力する。また他の局面においては、映像出力部１４０は、映像ファイル記憶部１３０に格納されているファイルの一覧を表示するためのデータを出力する。映像記録再生装置１００がテレビその他の映像表示送致に接続されている場合には、映像出力部１４０を介して出力された信号に基づいて該当する映像がその映像表示装置に表示される。
【００３２】
図１を再び参照して、書込制御部１１２は、映像取得部１０２によって取得されたファイルを映像ファイル記憶部１３０に逐次書き込む。映像記録再生装置１００が、たとえばハードディスクレコーダとして実現される場合には、書込制御部１１２は、ハードディスクに対するデータの書き込みを行なうヘッドの動作を制御する。
【００３３】
サブファイル識別データ生成部１１４は、映像ファイル記憶部１３０に格納されている各映像ファイルを読み出し、当該ファイルの各々について論理的に分割されたサブファイルの各々を識別するためのデータを生成する。ここで、論理的に分割とは、映像ファイルのデータを物理的に分けることなく仮想的に分けることをいう。たとえば、映像ファイルは、管理データとして規定された単位時間ごとに、当該管理データがその単位時間に対応する映像データに関連付けられる。この場合、管理データを参照することにより、映像の再生を単位時間ごとに管理することができる。より具体的には、映像ファイルの記録時間このデータは、たとえば各ファイルについて予め規定された時間ごとに区切られた後、各サブファイルについて１つずつ増加する数値を与えることにより生成される。サブファイル識別データ生成部１１４は、そのようにして生成したデータをサブファイル識別データ記憶部１３２において確保された領域に書き込む。
【００３４】
撮影制御部１１６は、操作部１０４から出力される信号に基づいて視聴者画像取得部１０６に対する撮影の指示を出力する。たとえば、映像記録再生装置１００の使用者がリモコン端末（図示しない）を操作することにより撮影ボタンを押下すると、その押下に対応する信号が当該リモコン端末から発信される。操作部１０４は、その信号を受光すると、その信号に応じた指示信号を撮影制御部１１６に送出する。撮影制御部１１６は、その信号に基づき視聴者画像取得部１０６に対して予め設定された撮影モードによって当該使用者を撮影するための指示を送出する。視聴者画像取得部１０６は、その指示に基づいて撮影動作を実行し、被写体の画像データを出力する。出力された画像データは、解析部１１８に送出される。
【００３５】
解析部１１８は、視聴者画像取得部１０６から出力されるデータに基づいて映像記録再生装置１００の使用者の顔画像を解析し、解析結果を出力する。解析部１１８は、解析結果を視聴者識別データ記憶部１３４に格納する。解析部１１８の詳細は、図２を参照して詳述する。
【００３６】
再生制御部１２０は、操作部１０４から送出される再生指示に基づいて、再生が指示された映像ファイルを映像ファイル記憶部１３０から読み出し、映像出力部１４０に送出する。具体的には、再生制御部１２０は、操作部１０４からの信号によって特定されるファイルの番号を参照して、その番号に対応するファイルを映像ファイル記憶部１３０から読み出す。このとき、再生制御部１２０は、サブファイル識別データ記憶部１３２も参照して、再生が行なわれるファイルに含まれる論理的なサブファイルを識別するデータを読み出す。
【００３７】
視聴履歴生成部１２２は、再生制御部１２０による当該ファイルの再生に併せて、当該ファイルの視聴履歴を生成する。視聴履歴生成部１２２は、再生されるファイルを識別するデータと、そのときに実際に再生されているサブファイル単位のデータと、そのファイルを再生する指示を与えた視聴者を識別するデータとに基づいて視聴履歴を生成する。視聴履歴生成部１２２は、その視聴履歴を表わすデータを視聴履歴記憶部１３６において確保されたメモリ領域に格納する。
【００３８】
また、視聴履歴生成部１２２は、操作部１０４から出力される信号に基づいて、視聴の履歴を生成する。たとえば、操作部１０４がリモコン信号を受信する受光部として実現される場合、視聴履歴生成部１２２は、受光部から出力される信号を検出した時に、そのとき再生されていたファイルが視聴されていたとする履歴を生成する。具体的には、視聴者がリモコン端末（図示しない）のはや送りボタン、一時停止ボタン、音量ボタン等を押下した場合に、視聴履歴生成部１２２は、その押下に応じて出力される信号の入力を検知すると、視聴履歴生成部１２２は、そのときに再生されたいたファイルのサブファイルと、視聴されていたことを表わすデータとを関連付けることにより、視聴履歴を生成する。
【００３９】
あるいは、他の局面においては、視聴履歴生成部１２２は、再生されているファイルの内容に応じた視聴履歴を生成する。たとえば、視聴履歴生成部１２２は、各サブファイルのシーンに応じて視聴履歴を生成する。シーンの検出は、具体的には、たとえば、特開２００２−３３９８７号公報に開示されているように、以下のようにして行なわれる。
【００４０】
視聴履歴生成部１２２は、分割により生成されたサブファイルについて、映像あるいは音声データに基づいてシーンデータを生成する。シーンデータは、たとえば色ヒストグラムの変化量、映像中の動きの激しさ、音量の変化、音質の変化等である。
【００４１】
視聴履歴生成部１２２は、シーン中の代表フレーム画像を抽出する。その色ヒストグラム、形状、模様などを数値化したものがシーンデータとされる。
【００４２】
視聴履歴生成部１２２は、それぞれのフレーム画像において、その色ヒストグラム、形状、模様などを数値化し、その代表値や上位の値等をシーンデータとする。
【００４３】
視聴履歴生成部１２２は、映像ファイル中の音声データに対して音声認識処理を適用して抽出された音声のうち、映像記録再生装置に予め登録されたキーワードに合致するものをシーンデータとする。
【００４４】
視聴履歴生成部１２２は、このようにしてシーンデータを算出し、予め設定された基準値を上回るシーンデータが導出されたシーンを重要シーンとして特定する。その上で、視聴履歴生成部１２２は、重要シーンが含まれるサブファイルについては他のサブファイルに対する視聴履歴よりも重み付けを行なうことにより、各サブファイル単位で視聴履歴を生成する。この場合、通常のシーンを有するサブファイルに対しては、視聴を表わすデータ（たとえば１）を与え、重要シーンを有するサブファイルに対しては、当該データよりも予め規定された重み係数を乗じて得られた値が与えられる。
【００４５】
一覧表示指示検出部１２４は、操作部１０４からの指示に基づいて映像ファイル記憶部１３０に格納されているファイルの一覧を表示する指示を検出する。たとえば、上記のリモコン端末において、一覧表示を指示するためのボタンが押下された場合、そのボタンに対応する信号が発信され、赤外線受光部として機能する操作部１０４によって受信される。操作部１０４が、その信号から一覧表示指示を表わす電気信号を一覧表示指示検出部１２４に送出すると、一覧表示指示検出部１２４は、映像ファイル記憶部１３０に格納されているファイルの管理情報を読み出す指示を、履歴表示データ生成部１２６に対して送出する。
【００４６】
履歴表示データ生成部１２６は、その指示に基づいて映像ファイル記憶部１３０と視聴履歴記憶部１３６とを参照し、映像ファイルを一覧表示するためのデータを生成する。履歴表示データ生成部１２６は、さらに視聴履歴記憶部１３６に格納されている履歴データを読み出し、各ファイルごとに視聴の履歴を表示するためのデータを生成する。視聴の履歴を表示するためのデータは、たとえば各々のファイルについて全体の録画時間のうち視聴された時間を割合（たとえばパーセント表示）として表わすデータ、あるいは当該ファイルに含まれるサブファイルごとに視聴されたか否かを表わすデータなどを含む。
【００４７】
履歴表示データ生成部１２６は、再生済みおよび未再生の区別を色分け表示するためのデータを生成する。表示態様は特に限られず、一般的なグラフ表示によって実現される表示態様であればよい。
【００４８】
履歴表示データ生成部１２６は、そのようにして生成したデータを映像出力部１４０に対して送出する。たとえば、テレビが映像出力部１４０に接続されている場合には、そのテレビは、映像記録再生装置１００に格納されているファイルの一覧と当該ファイルの各々についてサブファイルごとに視聴がされたか否か、さらには、特定の視聴者について視聴がされたか否かを表わす映像を表示する。
【００４９】
図２は、解析部１１８によって実現される機能の構成を表わすブロック図である。解析部１１８は、入力部２１０と、発光位置検出部２２０と、顔画像領域抽出部２３０と、特徴量算出部２４０と、データ書込指令部２５０と、個人認証部２６０と、認証結果生成部２７０と、出力部２８０とを含む。
【００５０】
入力部２１０は、視聴者画像取得部１０６から出力される画像データの入力を受け付ける。発光位置検出部２２０は、入力された画像データに基づいてリモコン端末（図示しない）における発光位置を検出する。顔画像領域抽出部２３０は、その画像データに基づいて被写体の顔に相当する画像領域を抽出する。この抽出の処理については後述する。
【００５１】
特徴量算出部２４０は、顔画像領域抽出部２３０によって抽出された顔の画像領域に対応するデータに基づいてその画像の特徴量を算出する。ここで、特徴量とは、抽出された領域を特定するためのデータから算出される、当該領域の画像上の特徴を表わすデータをいう。本実施の形態においては、特徴量には、目の間隔、目と口の間隔、目元と目尻との間隔などが含まれる。これらの特徴量に加えて、目の大きさ、目の領域における瞳の領域の割合などが特徴量として用いられてもよい。あるいは、眉毛、睫、肌のほくろのように白黒の濃淡が現われやすい領域の長さ、面積、形状などが特徴量として用いられてもよい。
【００５２】
データ書込指令部２５０は、特徴量算出部２４０によって算出された特徴量を視聴者識別データ記憶部１３４に格納するための指令を出力する。この指令が出力されると、生成された特徴量を表わすデータは、視聴者識別データ記憶部１３４において予め確保されたメモリ領域に格納される。
【００５３】
個人認証部２６０は、特徴量算出部２４０によって算出された特徴量と、新たに視聴者画像取得部１０６から送出された画像データに基づいて算出される特徴量とを比較することにより、映像記録再生装置１００の使用者の認証処理を行なう。認証処理は、たとえば新たに算出された特徴量と既に格納されている特徴量との差異を算出することにより行なわれる。この場合、当該差異が予め定められた誤差範囲よりも小さい場合には、個人認証部２６０は、新たに撮影された被写体（視聴者）が、予め登録されている視聴者と同一であると判断する。そうでない場合には、個人認証部２６０は、登録されていない被写体が撮影されたと判断する。
【００５４】
認証結果生成部２７０は、個人認証部２６０によって認証された結果を表わすデータを生成する。たとえば、予め登録されている視聴者が再度認識されていた場合には、認証結果生成部２７０は、登録済みの視聴者がファイルを新たに視聴しようとしていることを表わすデータ（たとえばフラグ）を生成する。認証結果生成部２７０は、そのようにして生成したデータを出力部２８０に対して送出する。
【００５５】
出力部２８０は、認証結果生成部２７０から送出されたデータを再生制御部１２０に出力する。この場合、同一の視聴者が同一のファイルを再生しようとしている場合には、再生制御部１２０は、その旨を表わすメッセージデータを生成し、映像出力部１４０に送出する。
【００５６】
図３を参照して、本実施の形態に係る映像記録再生装置の具体的構成について説明する。図３は、本実施の形態に係る映像記録再生装置として実現されるハードディスクレコーダ３００のハードウェア構成を表わすブロック図である。
【００５７】
ハードディスクレコーダ３００は、アンテナ３０２に接続されている。ハードディスクレコーダ３００は、主たる構成として、チューナ３０４と、外部入力部３０６と、ＭＰＥＧ（Moving Picture Experts Group）エンコーダ３０８と、ＣＰＵ（Central Processing Unit）３１０と、受光部３２０と、操作部３２２と、カメラ３２４と、Ａ／Ｄ（Analog to Digital）変換部３２６と、計時回路３２８と、表示部３３０と、ハードディスクドライブ３４０と、ＭＰＥＧデコーダ３５０と、ＯＳＤ（On Screen Display）画像生成回路３５２と、合成回路３５４と、Ｄ／Ａ（Digital to Analog）変換部３５６と、出力部３５８とを含む。各構成要素は、電気的に接続されている。ハードディスクドライブ３４０は、ピックアップ３４２とハードディスク３４４とを含む。ＤＶＤ駆動装置３７０には、ＤＶＤ３７２が装着可能である。
【００５８】
チューナ３０４は、アンテナ３０２によって受信された信号の入力を受け付けて、ＣＰＵ３１０からの選局指令に基づいて指示されたチャンネルを選局する。選局されたチャンネルの信号は、ＭＰＥＧエンコーダ３０８に送出される。
【００５９】
外部入力部３０６は、外部から映像信号の入力を受け付ける。入力された信号は、ＭＰＥＧエンコーダ３０８に送出される。
【００６０】
ＭＰＥＧエンコーダ３０８は、ＣＰＵ３１０からの指示に基づいて、チューナ３０４あるいは外部入力部３０６から送出された信号を符号化する。ＭＰＥＧエンコーダ３０８によって符号化された信号は、ＣＰＵ３１０の指示に応じてハードディスクドライブ３４０あるいはＤＶＤ駆動装置３７０に送出される。
【００６１】
受光部３２０は、ハードディスクレコーダ３００の動作を制御するためのリモコン端末（図示しない）によって発信されたリモコン信号（たとえば赤外線信号）を受信し、その信号に応じた制御信号を出力する。当該制御信号は、ＣＰＵ３１０に入力され、ＣＰＵ３１０は、その制御信号に応じた動作を実現するための指示をハードディスクレコーダ３００の各部に対して送出する。
【００６２】
操作部３２２は、ハードディスクレコーダ３００の使用者によるタッチ操作を受け付ける。操作部３２２は、その操作に応じた電気信号をＣＰＵ３１０に送出する。ＣＰＵ３１０は、受光部３２０から出力される制御信号と同様に、操作部３２２から出力される信号に応じた動作を実現するための指示を各部に対して出力する。
【００６３】
カメラ３２４は、ＣＰＵ３１０からの撮影指示に基づいて予め設定されたモードで撮影動作を実行する。カメラ３２４によって生成された画像データは、Ａ／Ｄ変換部３２６に送出される。
【００６４】
Ａ／Ｄ変換部３２６は、カメラ３２４からの画像信号をデジタルデータに変換してＣＰＵ３１０に送出する。ＣＰＵ３１０は、そのデータを用いてカメラ３２４によって撮影された視聴者の解析処理を実行する。
【００６５】
計時回路３２８は、ハードディスクレコーダ３００の内部時刻を表わす情報をＣＰＵ３１０に送出する。表示部３３０は、ＣＰＵ３１０からの信号に基づいてハードディスクレコーダ３００の作動状態を表わす表示を行なう。ここで作動状態とは、ハードディスクレコーダ３００が再生しているか、あるいは録画動作を実行しているかその他のハードディスクレコーダ３００が有する機能に基づいて実現される動作の状態をいう。
【００６６】
ハードディスクドライブ３４０は、ＣＰＵ３１０による指示に基づいて、ＭＰＥＧエンコーダ３０８から出力されたデジタルデータを逐次記録する。あるいは、ハードディスクドライブ３４０は、ＣＰＵ３１０による再生指示に基づいて、ハードディスク３４４に既に格納されているデータを読み出し、読み出したデータをＭＰＥＧデコーダ３５０に対して送出する。
【００６７】
ＭＰＥＧデコーダ３５０は、ハードディスクドライブ３４０から読み出されたデータあるいはＤＶＤ駆動装置３７０に装着されているＤＶＤ３７２から読み出されたデータを復号し、合成回路３５４に送出する。
【００６８】
ＯＳＤ画像生成回路３５２は、ＣＰＵ３１０から出力される信号に基づいてハードディスクレコーダ３００の内部の状態を表わす画像データを生成する。ＯＳＤ画像生成回路３５２は、その生成したデータを合成回路３５４に送出する。合成回路３５４は、ＭＰＥＧデコーダ３５０から出力される映像データとＯＳＤ画像生成回路３５２から出力される画像データとを合成してＤ／Ａ変換部３５６に送出する。なお、ＯＳＤ画像生成回路３５２から画像データが出力されていない場合には、合成回路３５４は、ＭＰＥＧデコーダ３５０から出力されるデータのみをＤ／Ａ変換部３５６に送出する。
【００６９】
Ｄ／Ａ変換部３５６は、合成回路３５４から出力されたデジタルデータをアナログ信号に変換して、変換後の信号を出力部３５８に送出する。出力部３５８は、そのアナログ信号を外部に出力する。なお、ハードディスクレコーダ３００に接続されるテレビその他の映像表示装置がデジタルデータの入力を受け付けることができる場合には、Ｄ／Ａ変換部３５６は不要である。この場合、合成回路３５４から出力されるデジタルデータは、必要な処理が行なわれた後、デジタルデータとして外部に出力される。
【００７０】
次に、図４を参照して、ハードディスクレコーダ３００のデータ構造について説明する。図４は、ハードディスク３４４におけるデータの格納の一態様を概念的に表わす図である。ハードディスク３４４は、たとえば管理データ記録領域４１０と、映像ファイル記録領域４２０とを含む。各映像ファイルは、映像ファイル記録領域４２０に記録される。たとえば、図４に示される例では、ハードディスクレコーダ３００の使用者の操作によって録画された第１の映像ファイル４２１と第２の映像ファイル４２２と第３の映像ファイル４２３とが、既に記録されている。
【００７１】
管理データ記録領域４１０は、ハードディスクレコーダ３００の機能を実現するための管理データを格納している。管理データ記録領域４１０におけるデータ構造は、図６を参照して説明する。
【００７２】
ここで、図５を参照して、映像ファイルと当該ファイルを構成するサブファイルとの関係について説明する。図５は、第１の映像ファイル４２１におけるサブファイルの構成を概念的に表わす図である。第１の映像ファイル４２１は、論理的に分割された部分ファイルとして第１のサブファイル５１０と第２のサブファイル５２０と第３のサブファイル５３０などを含む。
【００７３】
映像ファイルからサブファイルへの分割は、たとえば以下のようにして行なわれる。まずファイルを分割するための基準が予め規定されている。この基準は、たとえば時間単位あるいは音声モードの切り換え（ステレオ音声とモノラル音声との切り換え、あるいは二ヶ国語放送と一ヶ国語放送との切り換え）などである。図５に示される例では、予め設定された時間が分割の基準として用いられている。すなわち、第１の映像ファイル４２１の録画時間が５０分であり、分割の単位が５分である場合、５分間隔ごとに、第１の映像ファイル４２１は、論理的に分割される。この場合、合計１０個のサブファイルが論理的に生成されることになる。その結果、各サブファイルを識別するデータが予め設定されている初期値（たとえば「１」）を基準に生成され、各サブファイルに関連付けられて、管理データ記録領域４１０に格納される。
【００７４】
図６を参照して、ハードディスクレコーダ３００のデータ構造についてさらに説明する。図６は、ハードディスク３４４の管理データ記録領域４１０におけるデータの格納の一態様を表わす図である。管理データ記録領域４１０は、テーブル６１０，６３０，６４０を格納している。
【００７５】
テーブル６１０は、レコード番号６１２と、ファイルＩＤ６１４と、サブファイルＩＤ６１６と、視聴者ＩＤ６１８と、再生日時６２０とを含む。テーブル６１０における各レコードは、ハードディスクレコーダ３００において映像ファイルが再生するごとに逐次作成され更新される。レコード番号が「００１」であるレコードは、ファイルＩＤが「ＦＩＬＥ０１」を有するファイルのサブファイルＩＤが「subfile＿００１」を有するサブファイルが視聴者「Ａ」によって２００６年３月２７日に再生されたことを表わす。
【００７６】
テーブル６１０におけるレコードは、サブファイルＩＤ６１６ごとに作成される。図５に示されるように、各サブファイルは、本実施の形態の場合５分ごとに作成されるため、視聴の履歴も５分単位の履歴として生成される。
【００７７】
テーブル６３０は、視聴者ＩＤ６３２と、特徴量６３４と、登録日６３６とを含む。たとえば視聴者「Ａ」は、特徴量「１００」を有しており、その視聴者のデータは、２００６年３月１日に登録されている。他の視聴者についてのデータも同様である。テーブル６３０におけるレコードは、ハードディスクレコーダ３００に対する視聴者の登録が行なわれるごとに作成される。また、他の局面においてレコードを削除する指示が入力された場合には、削除が指示されてレコードについての視聴者のデータは、テーブル６３０から除去される。
【００７８】
テーブル６４０は、データを格納するための領域６４２，６４４を含む。領域６４２には、ファイルＩＤが格納される。領域６４４には、サブファイルＩＤが格納される。たとえば第１の映像ファイル４２１については、その録画時間は５０分である。また図５を参照して説明したように、論理的なサブファイルは、たとえば５分ごとに生成される。したがって、本実施の形態においては、第１の映像ファイル４２１については１０個のサブファイルが存在することになる。そこで、領域６４４に示されるデータから明らかなように、１０個のサブファイルを識別するためのデータがそれぞれ第１の映像ファイル４２１（ファイルＩＤ＝ＦＩＬＥ０１）について作成される。
【００７９】
なお、サブファイルを識別するためのデータは、ハードディスク３４４に不揮発的に格納されている必要はなく、たとえば当該ファイルの再生が行なわれるときに再生の前に録画時間に応じて都度決定されるものであってもよい。
【００８０】
ここで、図７を参照して、本実施の形態に係るハードディスクレコーダ３００を実現するために行なわれる顔画像データの抽出処理について説明する。図７は、メモリ３１０に格納された画像データに基づいて表わされる顔画像を概念的に表わす図である。
【００８１】
ハードディスクレコーダ３００の使用者（すなわち再生される映像の視聴者）がカメラ３２４に対して予め規定された場所に存在する状態で、撮影処理が正常に実行される。当該撮影処理によって生成されたデータは、カメラ３２４からＡ／Ｄ変換部３２６に送出され、デジタルデータに変換された後、ＣＰＵ３１０に送られる。ＣＰＵ３１０は、そのデータを抽出処理のために確保したメモリ３１２における領域に格納する。カメラ３２４の被写体としての当該使用者の顔は、たとえば肌色の部分とそうでない部分とを含む。たとえば頭髪、眉あるいは瞳は、黒色である場合が多い。このような被写体の画像に対して、たとえば画像データの２値化処理又は濃淡処理が適用されると、濃淡の程度が異なる画像が生成される。あるいは、濃淡の領域の接触部分が強調された画像が生成される。
【００８２】
たとえば、図７に示されるように、眉７０２ａ，７０２ｂと、瞳７０４ａ，７０４ｂと、口７０８とがそれぞれ認識される。メモリ３１２における縮尺が予めＣＰＵ３１０によって特定されている場合には、メモリ３１２に格納された画像データとカメラ３２４に対して予め撮影のために規定された位置関係とに基づいて、目の間隔７１２と、目の長さ７１０，７１４と、口の幅７１６と、目尻と口の中心部との距離７１８とがそれぞれ算出される。
【００８３】
この場合、たとえば間隔７１２の値と間隔７１８の値とをそれぞれ左右方向の情報、上下方向の情報としてメモリ３１２に格納することにより、カメラ３２４の撮影により生成された画像に対応する被写体がどのような特徴量を有するものであるかを特定することができる。ここで、間隔は、当該画像データを構成する画素数で表現することができる。具体的には、顔の特徴点間の画素数を上述の間隔として使用することができる。なお、顔の特徴点は、上記のものに限られず、目、鼻、口その他の顔の認識技術において通常使用されるものであればよい。
【００８４】
また、リモコン端末の発光部を撮影することにより、たとえば図７において画像７５０を表わすデータが導出される。すなわち、輝度値が最も大きな領域がリモコン端末の発光部を表わす領域として特定され得る。
【００８５】
この場合、発光部の中心位置と被写体の口の中心位置との距離７２０を他の局面における特徴量として使用することができる。すなわち、視聴者のリモコンを操作する癖は、当該視聴者に応じて異なるため、リモコン端末を把持する位置によってハードディスクレコーダ３００の使用者がどの視聴者であるかを特定するためのデータとして距離７２０は使用され得る。同様に、リモコン端末の光源と瞳との距離７３０が当該特定に用いられてもよい。
【００８６】
次に、図８〜図１０を参照して、本実施の形態に係るハードディスクレコーダ３００の制御構造について説明する。図８〜図１０は、それぞれＣＰＵ３１０によって実行される処理の手順を表わすフローチャートである。
【００８７】
図８を参照して、ステップＳ８１０にて、ハードディスクレコーダ３００のＣＰＵ３１０は、受光部３２０からの電気信号に基づいて、撮影モードの実行の指示が入力されたことを検出する。すなわち、ハードディスクレコーダ３００の使用者がリモコン端末を操作して撮影モードを開始するためのボタン操作を行なった場合に、当該操作に応じて発光される赤外線信号が受光部３２０によって受光されると、上記検出が実現される。
【００８８】
ステップＳ８２０にて、ＣＰＵ３１０は、カメラ３２４に対して予め規定されたモードで撮影を実行するための撮影指示信号を送出する。カメラ３２４は、その信号に基づいて撮影を行なう。カメラ３２４が撮影を完了すると、内部に有するＣＣＤその他の光電変換素子によって光信号から電気信号に変換され、フレームバッファとしての内部メモリ（図示しない）に一時的に保持される。
【００８９】
ステップＳ８３０にて、ＣＰＵ３１０は、カメラ３２４から出力された画像データの入力を受け付ける。ＣＰＵ３１０は、そのデータをメモリ３１２に確保した領域に書き込む。
【００９０】
ステップＳ８４０にて、ＣＰＵ３１０は、解析部１１８として、メモリ３１２に格納されている画像データを解析して特徴量を算出する。
【００９１】
ステップＳ８５０にて、ＣＰＵ３１０は、受光部３２０によって受信されたリモコン端末（図示しない）からの信号に基づいて当該画像データを識別するためのデータ（たとえば視聴者を登録するための名称など）の入力を受け付ける。ＣＰＵ３１０は、そのデータをメモリ３１２に確保した他の領域に書き込む。
【００９２】
ステップＳ８６０にて、ＣＰＵ３１０は、当該識別データと算出した特徴量とを関連付けてハードディスク３４４の管理データ記録領域４１０に書き込む。これにより、ハードディスクレコーダ３００の使用者の情報が登録される（図６におけるテーブル６３０）。
【００９３】
図９は、ハードディスクレコーダ３００が映像ファイルを再生するときに再生の履歴を生成するためにＣＰＵ３１０が実行する処理の手順を表わすフローチャートである。
【００９４】
ステップＳ９０２にて、ＣＰＵ３１０は、受光部３２０によって受光されたリモコン端末からの信号に基づいて、ハードディスクドライブ３４０に格納されている映像ファイルの再生指示の入力を検知する。ステップＳ９０４にて、ＣＰＵ３１０は、その指示の検知に応答して、撮影を指令する信号をカメラ３２４に対して送出する。ステップＳ９０６にて、ＣＰＵ３１０は、カメラ３２４から出力される画像データの入力を受け付ける。ＣＰＵ３１０は、その画像データをメモリ３１２に確保した領域に書き込む。
【００９５】
ステップＳ９０８にて、ＣＰＵ３１０は、解析部１１８として、その画像データとハードディスク３４４の管理データ記録領域４１０に既に登録されている画像データ（テーブル６３０）とに基づいて再生指示を入力した視聴者の認証処理を行なう。
【００９６】
ステップＳ９１０にて、ＣＰＵ３１０は、その再生指示が登録済みの視聴者によるものであるか否かを判断する。ＣＰＵ３１０が、その指示は登録済みの視聴者によるものであると判断すると（ステップＳ９１０にてＹＥＳ）、処理はステップＳ９１２に移される。そうでない場合には（ステップＳ９１０にてＮＯ）、処理はステップＳ９２４に移される。
【００９７】
ステップＳ９１２にて、ＣＰＵ３１０は、管理データ記録領域４１０から視聴者ＩＤを読み出す。ＣＰＵ３１０は、その読み出した視聴者ＩＤをメモリ３１２のバッファ領域に書き込む。
【００９８】
ステップＳ９１４にて、ＣＰＵ３１０は、ハードディスク３４４から、再生が指示された映像ファイルのデータを読み出し、ＭＰＥＧデコーダに当該データを出力する。ＭＰＥＧデコーダ３５０は、そのデータを復号し、復号されたデータを合成回路３５４に送出する。合成回路３５４から出力されたデータが、ハードディスクレコーダ３００からテレビ３９０に送出されると、テレビ３９０は当該映像ファイルに基づく映像を表示する。
【００９９】
ステップＳ９１６にて、ＣＰＵ３１０は、ハードディスク３４４から読み出された映像ファイルのサブファイルＩＤを逐次取得する。ステップＳ９１８にて、ＣＰＵ３１０は、サブファイルＩＤと視聴者ＩＤとを関連付けることにより、視聴履歴データを生成する。ＣＰＵ３１０は、そのデータを管理データ記録領域４１０において履歴の記録のために確保された領域に格納する（テーブル６１０）。このときレコード番号６１２は、ＣＰＵ３１０が有するカウンタ機能によって新たに生成される。
【０１００】
ステップＳ９２２にて、ＣＰＵ３１０は、受光部３２０あるいは操作部３２２からの信号に基づいて映像ファイルの再生を終了する指示が入力されたか否かを判断する。ＣＰＵ３１０が、その指示は入力されていると判断すると（ステップＳ９２２にてＹＥＳ）、制御は終了する。そうでない場合には、（ステップＳ９２２にてＮＯ）、制御はステップＳ９１４に戻される。
【０１０１】
ステップＳ９２４にて、ＣＰＵ３１０は、ハードディスク３４４から指示された映像ファイルのデータを読み出して、ＭＰＥＧデコーダ３５０にそのデータを送出する。この場合、ＭＰＥＧデコーダ３５０は、そのデータを復号し、前述の処理と同様に、ハードディスクレコーダ３００の外部に出力する。ステップＳ９２６にて、ＣＰＵ３１０は、映像ファイルの再生を終了する指示が入力されたか否かを判断する。ＣＰＵ３１０が、その指示は入力されたと判断すると（ステップＳ９２６にてＹＥＳ）、制御は終了する。そうでない場合には（ステップＳ９２６にてＮＯ）、処理はステップＳ９２４に戻され、再生が継続される。この場合の再生は、特定の視聴者による再生指示ではないため、視聴者ごとの履歴データは生成されない。あるいは、ステップＳ９１８に示される処理に代えて、登録されていない視聴者であることを表わすデータを視聴者ＩＤに代えて視聴履歴データを生成するものであってもよい。
【０１０２】
図１０は、ハードディスクレコーダ３００の使用者が記録されているファイルの一覧を表示する指示をハードディスクレコーダ３００に与えた場合にＣＰＵ３１０が実行する処理の手順を表わすフローチャートである。
【０１０３】
ステップＳ１０１０にて、ＣＰＵ３１０は、受光部３２０によって受光されたリモコン端末からの信号に基づいて、あるいは操作部３２２に対する操作に基づいて出力される信号に応じて、映像ファイルの一覧表示指示の入力を検知する。この場合、表示の対象となるファイルは、ハードディスク３４４に格納されているファイルあるいはＤＶＤ駆動装置３７０に装着されているＤＶＤ３７２のいずれであってもよい。
【０１０４】
ステップＳ１０２０にて、ＣＰＵ３１０は、ハードディスク３４４の管理データ記録領域４１０から、映像ファイル記録領域４２０に格納されている映像ファイルを識別するデータ（たとえばファイル名）を読み出し、メモリ３１２に書き込む。ステップＳ１０３０にて、ＣＰＵ３１０は、そのデータを用いてファイルの一覧を表示するための一覧データを生成する。ステップＳ１０４０にて、ＣＰＵ３１０は、その一覧データをＯＳＤ画像生成回路３５２に送出する。ＯＳＤ画像生成回路３５２は、そのデータに基づいて、テレビ３９０その他の映像表示装置の表示領域における画像を表わすデータを作成する。たとえば、ＯＳＤ画像生成回路３５２は、ファイルの名称と当該ファイルのサムネイル画像とを合成したデータを生成する。
【０１０５】
ステップＳ１０５０にて、ＣＰＵ３１０は、管理データ記録領域４１０から視聴履歴データ（テーブル６１０）を読み出し、読み出したデータをメモリ３１２に書き込む。ステップＳ１０６０にて、ＣＰＵ３１０は、その視聴履歴データに基づいて各映像ファイルの視聴の履歴を表示するための画像データを生成する。たとえば、ＣＰＵ３１０は、各映像ファイルについてどの程度（たとえば割合として）視聴されたかを表わすデータを算出し、算出結果をテキストとして生成する。あるいは、ＣＰＵ３１０は、テキストデータを生成する態様に代えて、アイチャートとして割合を表示するためのデータを生成する。
【０１０６】
ステップＳ１０７０にて、ＣＰＵ３１０は、生成したデータをＯＳＤ画像生成回路３５２に対して送出する。ＯＳＤ画像生成回路３５２は、そのデータに基づいて表示領域に映像を表示するために必要な処理を実行した後、処理後のデータを合成回路３５４に送出する。ＭＰＥＧデコーダ３５０から復号された映像データが送出されていない場合には、合成回路３５４は、ＯＳＤ画像生成回路３５２から送出されたデータのみをＤ／Ａ変換部３５６に送出する。このようなデータが出力部３５８を介してテレビ３９０に送出されると、テレビ３９０は、視聴の履歴を表わす映像のみを表示する。あるいは、ＭＰＥＧデコーダ３５０から何らかの映像ファイルのデータが出力されている場合には、合成回路３５４は、その映像に合わせてＯＳＤ画像生成回路３５２から出力されたデータをオーバーラップして表示する処理を実行する。この場合、テレビ３９０は、通常の映像の表示に加えて、たとえば縁取り表示されたテキストが視聴履歴として表示される。
【０１０７】
図１１を参照して、本実施の形態に係るハードディスクレコーダ３００によって生成された履歴データに基づく画像の表示態様について説明する。図１１は、ケーブル３９２を介してハードディスクレコーダ３００に接続されているテレビ３９０による履歴を表示する画面を表わす図である。前述の図１０に示される処理が実行されると、テレビ３９０は、画像データの入力を受け付ける。図１１は、一例としてファイルＩＤが「ＦＩＬＥ０１」の視聴履歴を表わす画面である。
【０１０８】
図１１に示されるように、映像ファイル全体は四角のアイコンによって表示される。そのうち視聴が完了されているサブファイルについては、黒色のアイコン１１１０によって表現される。一方、再生が行なわれていないサブファイルについては白色のアイコン１１２０によって表示される。
【０１０９】
図１１におけるアイコンの配列は、視聴者「Ａ」によって７５％が視聴されていること、および、視聴者Ｂによって、同一のファイルについて２５％が視聴されていることを表わす。また、ハードディスクレコーダ３００に登録されていない視聴者による再生が行なわれた場合には、視聴者ごとの履歴に代えて、当該ファイル自身の履歴としてアイコンの表示に反映されてもよい。このようにすると、いずれかの視聴者によって視聴されたファイルがどの辺りあるかを容易に把握することができるため、特定のシーンを呼出す場合に容易に呼出しやすくなる。
【０１１０】
なお、表示態様は、図１１に示されるものに限られない。たとえば、複数の番組について視聴履歴が表示されてもよい。あるいは、２色のアイコンの表示に代えて、濃淡を反映させた表示（いわゆるグラデーション）が視聴履歴の表示に使用されてもよい。あるいは、パーセントの表示のように単なる数値の表示に代えて、あるいは当該表示と共に、視聴の履歴を文字として表示してもよい。この場合、たとえば、視聴の割合が全体の映像ファイルの２５パーセント以下の場合に「少し視聴」、当該割合が７５パーセント以上の場合に「大体視聴」等の文字画像が表示されてもよい。このようにすると、定量的な視聴履歴に加えて定性的な視聴履歴も表示されるため、各使用者（すなわち視聴者）は、視聴の程度を容易に把握することができる。
【０１１１】
以上のようにして、本発明の実施の形態に係るハードディスクレコーダ３００は、視聴者ごとに映像ファイルの視聴の履歴をサブファイルごとに表示する。このようにすると、ハードディスクレコーダ３００の使用者は、頻繁に視聴された映像のシーンの特定、あるいは視聴状況を容易に把握することができる。また、視聴者ごとに視聴の履歴が保存されるため、いわゆるレジューム再生のためのデータが消去された場合でも、未再生の部分を容易に特定することができる。
【０１１２】
なお、本実施の形態に係るハードディスクレコーダ３００は、視聴者の顔画像を取得するためのカメラを内蔵する構成を有する。しかしながら、このような構成に限られず、別個のカメラによって取得された画像信号の入力を受け付ける態様で映像記録再生装置が実現されてもよい。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１４】
本発明は、たとえば、ハードディスクレコーダ、ＤＶＤレコーダその他の映像記録再生装置に適用可能である。
【図面の簡単な説明】
【０１１５】
【図１】本発明の実施の形態に係る映像記録再生装置１００によって実現される機能の構成を表わすブロック図である。
【図２】解析部１１８によって実現される機能の構成を表わすブロック図である。
【図３】本実施の形態に係る映像記録再生装置として実現されるハードディスクレコーダ３００のハードウェア構成を表わすブロック図である。
【図４】ハードディスク３４４におけるデータの格納の一態様を概念的に表わす図である。
【図５】第１の映像ファイル４２１におけるサブファイルの構成を概念的に表わす図である。
【図６】ハードディスク３４４の管理データ記録領域４１０におけるデータの格納の一態様を表わす図である。
【図７】メモリ３１０に格納された画像データに基づいて表わされる顔画像を概念的に表わす図である。
【図８】ＣＰＵ３１０によって実行される処理の手順を表わすフローチャート（その１）である。
【図９】ＣＰＵ３１０によって実行される処理の手順を表わすフローチャート（その２）である。
【図１０】ＣＰＵ３１０によって実行される処理の手順を表わすフローチャート（その３）である。
【図１１】ハードディスクレコーダ３００に接続されているテレビ３９０による履歴を表示する画面を表わす図である。
【符号の説明】
【０１１６】
１００  映像記録再生装置、１１０  演算制御部、３０２  アンテナ、３９２  ケーブル。
【図１】
0004839963.tif 000002
【図２】
0004839963.tif 000003
【図３】
0004839963.tif 000004
【図４】
0004839963.tif 000005
【図５】
0004839963.tif 000006
【図６】
0004839963.tif 000007
【図７】
0004839963.tif 000008
【図８】
0004839963.tif 000009
【図９】
0004839963.tif 000010
【図１０】
0004839963.tif 000011
【図１１】
0004839963.tif 000012